【手続補正書】
【提出日】平成16年7月7日(2004.7.7)
【手続補正１】
【補正対象書類名】明細書
【補正対象項目名】発明の名称
【補正方法】変更
【補正の内容】
【発明の名称】発光装置
【手続補正２】
【補正対象書類名】明細書
【補正対象項目名】特許請求の範囲
【補正方法】変更
【補正の内容】
【特許請求の範囲】
【請求項１】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、を有するアクティブマトリクス型の発光装置であって、
定電流源と、一対の電極を有するモニター用発光素子と、入力された電位と等しい電位を出力する回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記薄膜トランジスタを介して前記発光素子の一方の電極が接続されることを特徴とするアクティブマトリクス型の発光装置。
【請求項２】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、を有し、
前記ソース信号線及び前記ゲート信号線に入力される信号によって、前記薄膜トランジスタのオンとオフの制御を行うアクティブマトリクス型の発光装置であって、
定電流源と、一対の電極を有するモニター用発光素子と、入力された電位と等しい電位を出力する回路とを有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記薄膜トランジスタを介して前記発光素子の一方の電極が接続されることを特徴とするアクティブマトリクス型の発光装置。
【請求項３】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、前記ソース信号線駆動回路からの信号が入力されるソース信号線と、前記ゲート信号線駆動回路からの信号が入力されるゲート信号線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極に接続され、
前記第２の薄膜トランジスタは、ソース領域及びドレイン領域の一方が前記発光素子の一方の電極に接続されているアクティブマトリクス型の発光装置であって、
定電流源と、一対の電極を有するモニター用発光素子と、入力された電位と等しい電位を出力する回路とを有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記第２の薄膜トランジスタのソース領域及びドレイン領域の他方が接続されることを特徴とするアクティブマトリクス型の発光装置。
【請求項４】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、コンデンサと、前記ソース信号線駆動回路からの信号が入力されるソース信号線と、前記ゲート信号線駆動回路からの信号が入力されるゲート信号線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極及び前記コンデンサの一方の電極に接続され、
前記第２の薄膜トランジスタは、ソース領域及びドレイン領域の一方が前記発光素子の一方の電極に接続されているアクティブマトリクス型の発光装置であって、
定電流源と、一対の電極を有するモニター用発光素子と、入力された電位と等しい電位を出力する回路とを有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記第２の薄膜トランジスタのソース領域及びドレイン領域の他方と、前記コンデンサの他方の電極が接続されることを特徴とするアクティブマトリクス型の発光装置。
【請求項５】
複数の画素と、ソース信号線駆動回路と、第１のゲート信号線駆動回路と、第２のゲート信号線駆動回路と、を有し、
前記複数の画素は、それぞれ一対の電極を有する発光素子と、第１の薄膜トランジスタと、第２の薄膜トランジスタと、第３の薄膜トランジスタと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極及び前記第３の薄膜トランジスタのソース領域及びドレイン領域の一方に接続され、
前記第２の薄膜トランジスタは、ソース領域及びドレイン領域の一方が前記発光素子の一方の電極に接続され、
前記第３の薄膜トランジスタは、ゲート電極が前記第２のゲート信号線に接続されているアクティブマトリクス型の発光装置であって、
定電流源と、一対の電極を有するモニター用発光素子と、入力された電位と等しい電位を出力する回路とを有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記第２の薄膜トランジスタのソース領域及びドレイン領域の他方と、前記第３の薄膜トランジスタのソース領域及びドレイン領域の他方が接続されることを特徴とするアクティブマトリクス型の発光装置。
【請求項６】
複数の画素と、ソース信号線駆動回路と、第１のゲート信号線駆動回路と、第２のゲート信号線駆動回路と、とを有し、
前記複数の画素は、それぞれ一対の電極を有する発光素子と、第１の薄膜トランジスタと、第２の薄膜トランジスタと、第３の薄膜トランジスタと、コンデンサと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極、前記コンデンサの一方の電極、及び前記第３の薄膜トランジスタのソース領域及びドレイン領域の一方に接続され、
前記第２の薄膜トランジスタは、ソース領域とドレイン領域の一方が前記発光素子の一方の電極に接続され、
前記第３の薄膜トランジスタは、ゲート電極が前記第２のゲート信号線に接続されているアクティブマトリクス型の発光装置であって、
定電流源と、一対の電極を有するモニター用発光素子と、入力された電位と等しい電位を出力する回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記第２の薄膜トランジスタのソース領域及びドレイン領域の他方と、前記第３の薄膜トランジスタのソース領域及びドレイン領域の他方と、前記コンデンサの他方の電極が接続されることを特徴とするアクティブマトリクス型の発光装置。
【請求項７】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、を有するアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、前記薄膜トランジスタを介して前記発光素子の一方の電極が接続されることを特徴とするアクティブマトリクス型の発光装置。
【請求項８】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、を有し、
前記ソース信号線及び前記ゲート信号線に入力される信号によって、前記薄膜トランジスタのオンとオフの制御を行うアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、前記薄膜トランジスタを介して前記発光素子の一方の電極が接続されることを特徴とするアクティブマトリクス型の発光装置。
【請求項９】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、前記ソース信号線駆動回路からの信号が入力されるソース信号線と、前記ゲート信号線駆動回路からの信号が入力されるゲート信号線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極に接続され、
前記第２の薄膜トランジスタは、ソース領域及びドレイン領域の一方が前記発光素子の一方の電極に接続されているアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、前記第２の薄膜トランジスタのソース領域及びドレイン領域の他方が接続されることを特徴とするアクティブマトリクス型の発光装置。
【請求項１０】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、コンデンサと、前記ソース信号線駆動回路からの信号が入力されるソース信号線と、前記ゲート信号線駆動回路からの信号が入力されるゲート信号線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極及び前記コンデンサの一方の電極に接続され、
前記第２の薄膜トランジスタは、ソース領域及びドレイン領域の一方が前記発光素子の一方の電極に接続されているアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に前記第２の薄膜トランジスタのソース領域及びドレイン領域の他方と、前記コンデンサの他方の電極が接続されることを特徴とする発光装置。
【請求項１１】
複数の画素と、ソース信号線駆動回路と、第１のゲート信号線駆動回路と、第２のゲート信号線駆動回路と、を有し、
前記複数の画素は、それぞれ一対の電極を有する発光素子と、第１の薄膜トランジスタと、第２の薄膜トランジスタと、第３の薄膜トランジスタと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極及び前記第３の薄膜トランジスタのソース領域及びドレイン領域の一方に接続され、
前記第２の薄膜トランジスタは、ソース領域及びドレイン領域の一方が前記発光素子の一方の電極に接続され、
前記第３の薄膜トランジスタは、ゲート電極が前記第２のゲート信号線に接続されているアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、前記第２の薄膜トランジスタのソース領域及びドレイン領域の他方と、前記第３の薄膜トランジスタのソース領域及びドレイン領域の他方が接続されることを特徴とするアクティブマトリクス型の発光装置。
【請求項１２】
複数の画素と、ソース信号線駆動回路と、第１のゲート信号線駆動回路と、第２のゲート信号線駆動回路と、とを有し、
前記複数の画素は、それぞれ一対の電極を有する発光素子と、第１の薄膜トランジスタと、第２の薄膜トランジスタと、第３の薄膜トランジスタと、コンデンサと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極、前記コンデンサの一方の電極、及び前記第３の薄膜トランジスタのソース領域及びドレイン領域の一方に接続され、
前記第２の薄膜トランジスタは、ソース領域とドレイン領域の一方が前記発光素子の一方の電極に接続され、
前記第３の薄膜トランジスタは、ゲート電極が前記第２のゲート信号線に接続されているアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、前記第２の薄膜トランジスタのソース領域及びドレイン領域の他方と、前記第３の薄膜トランジスタのソース領域及びドレイン領域の他方と、前記コンデンサの他方の電極が接続されることを特徴とするアクティブマトリクス型の発光装置。
【請求項１３】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、電源供給線と、を有し、
前記電源供給線は、前記薄膜トランジスタを介して前記発光素子の一方の電極と接続されているアクティブマトリクス型の発光装置であって、
定電流源と、一対の電極を有するモニター用発光素子と、入力された電位と等しい電位を出力する回路とを有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記電源供給線が接続されることを特徴とするアクティブマトリクス型の発光装置。
【請求項１４】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、電源供給線と、を有し、
前記電源供給線は、前記薄膜トランジスタを介して前記発光素子の一方の電極と接続され、
前記ソース信号線及び前記ゲート信号線に入力される信号によって、前記薄膜トランジスタのオンとオフの制御を行うアクティブマトリクス型の発光装置であって、
定電流源と、一対の電極を有するモニター用発光素子と、入力された電位と等しい電位を出力する回路とを有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記電源供給線が接続されることを特徴とするアクティブマトリクス型の発光装置。
【請求項１５】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、前記ソース信号線駆動回路からの信号が入力されるソース信号線と、前記ゲート信号線駆動回路からの信号が入力されるゲート信号線と、電源供給線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極に接続され、
前記第２の薄膜トランジスタは、ソース領域及びドレイン領域の一方が前記発光素子の一方の電極に接続され、他方が前記電源供給線に接続されているアクティブマトリクス型の発光装置であって、
定電流源と、一対の電極を有するモニター用発光素子と、入力された電位と等しい電位を出力する回路とを有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記電源供給線が接続されることを特徴とするアクティブマトリクス型の発光装置。
【請求項１６】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、コンデンサと、前記ソース信号線駆動回路からの信号が入力されるソース信号線と、前記ゲート信号線駆動回路からの信号が入力されるゲート信号線と、電源供給線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極及び前記コンデンサの一方の電極に接続され、
前記第２の薄膜トランジスタは、ソース領域及びドレイン領域の一方が前記発光素子の一方の電極に接続され、他方が前記電源供給線に接続され、
前記コンデンサは、他方の電極が前記電源供給線に接続されているアクティブマトリクス型の発光装置であって、
定電流源と、一対の電極を有するモニター用発光素子と、入力された電位と等しい電位を出力する回路とを有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記電源供給線が接続されることを特徴とする発光装置。
【請求項１７】
複数の画素と、ソース信号線駆動回路と、第１のゲート信号線駆動回路と、第２のゲート信号線駆動回路と、を有し、
前記複数の画素は、それぞれ一対の電極を有する発光素子と、第１の薄膜トランジスタと、第２の薄膜トランジスタと、第３の薄膜トランジスタと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、電源供給線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極及び前記第３の薄膜トランジスタのソース領域及びドレイン領域の一方に接続され、
前記第２の薄膜トランジスタは、ソース領域及びドレイン領域の一方が前記発光素子の一方の電極に接続され、他方が前記電源供給線に接続され、
前記第３の薄膜トランジスタは、ゲート電極が前記第２のゲート信号線に接続され、ソース領域及びドレイン領域の他方が前記電源供給線に接続されているアクティブマトリクス型の発光装置であって、
定電流源と、一対の電極を有するモニター用発光素子と、入力された電位と等しい電位を出力する回路とを有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記電源供給線が接続されることを特徴とするアクティブマトリクス型の発光装置。
【請求項１８】
複数の画素と、ソース信号線駆動回路と、第１のゲート信号線駆動回路と、第２のゲート信号線駆動回路と、を有し、
前記複数の画素は、それぞれ一対の電極を有する発光素子と、第１の薄膜トランジスタと、第２の薄膜トランジスタと、第３の薄膜トランジスタと、コンデンサと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、電源供給線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極、前記コンデンサの一方の電極、及び前記第３の薄膜トランジスタのソース領域及びドレイン領域の一方に接続され、
前記第２の薄膜トランジスタは、ソース領域とドレイン領域の一方が前記発光素子の一方の電極に接続され、他方が前記電源供給線に接続され、
前記第３の薄膜トランジスタは、ゲート電極が前記第２のゲート信号線に接続され、ソース領域及びドレイン領域の他方が前記電源供給線に接続され、
前記コンデンサは、他方の電極が前記電源供給線に接続されているアクティブマトリクス型の発光装置であって、
定電流源と、一対の電極を有するモニター用発光素子と、入力された電位と等しい電位を出力する回路とを有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、電源供給線が接続されることを特徴とするアクティブマトリクス型の発光装置。
【請求項１９】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、電源供給線と、を有し、
前記電源供給線は、前記薄膜トランジスタを介して前記発光素子の一方の電極と接続されているアクティブマトリクス型の発光装置であって、
定電流源と、一対の電極を有するモニター用発光素子と、入力された電位と等しい電位を出力する回路、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、前記電源供給線が接続されることを特徴とするアクティブマトリクス型の発光装置。
【請求項２０】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、電源供給線と、を有し、
前記電源供給線は、前記薄膜トランジスタを介して前記発光素子の一方の電極と接続され、
前記ソース信号線及び前記ゲート信号線に入力される信号によって、前記薄膜トランジスタのオンとオフの制御を行うアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、前記電源供給線が接続されることを特徴とするアクティブマトリクス型の発光装置。
【請求項２１】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、前記ソース信号線駆動回路からの信号が入力されるソース信号線と、前記ゲート信号線駆動回路からの信号が入力されるゲート信号線と、電源供給線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極に接続され、
前記第２の薄膜トランジスタは、ソース領域及びドレイン領域の一方が前記発光素子の一方の電極に接続され、他方が前記電源供給線に接続されているアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、前記電源供給線が接続されることを特徴とするアクティブマトリクス型の発光装置。
【請求項２２】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、コンデンサと、前記ソース信号線駆動回路からの信号が入力されるソース信号線と、前記ゲート信号線駆動回路からの信号が入力されるゲート信号線と、電源供給線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極及び前記コンデンサの一方の電極に接続され、
前記第２の薄膜トランジスタは、ソース領域及びドレイン領域の一方が前記発光素子の一方の電極に接続され、他方が前記電源供給線に接続され、
前記コンデンサは、他方の電極が前記電源供給線に接続されているアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、前記電源供給線が接続されることを特徴とする発光装置。
【請求項２３】
複数の画素と、ソース信号線駆動回路と、第１のゲート信号線駆動回路と、第２のゲート信号線駆動回路と、を有し、
前記複数の画素は、それぞれ一対の電極を有する発光素子と、第１の薄膜トランジスタと、第２の薄膜トランジスタと、第３の薄膜トランジスタと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、電源供給線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極及び前記第３の薄膜トランジスタのソース領域及びドレイン領域の一方に接続され、
前記第２の薄膜トランジスタは、ソース領域及びドレイン領域の一方が前記発光素子の一方の電極に接続され、他方が前記電源供給線に接続され、
前記第３の薄膜トランジスタは、ゲート電極が前記第２のゲート信号線に接続され、ソース領域及びドレイン領域の他方が前記電源供給線に接続されているアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、前記電源供給線が接続されることを特徴とするアクティブマトリクス型の発光装置。
【請求項２４】
複数の画素と、ソース信号線駆動回路と、第１のゲート信号線駆動回路と、第２のゲート信号線駆動回路と、を有し、
前記複数の画素は、それぞれ一対の電極を有する発光素子と、第１の薄膜トランジスタと、第２の薄膜トランジスタと、第３の薄膜トランジスタと、コンデンサと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、電源供給線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極、前記コンデンサの一方の電極、及び前記第３の薄膜トランジスタのソース領域及びドレイン領域の一方に接続され、
前記第２の薄膜トランジスタは、ソース領域とドレイン領域の一方が前記発光素子の一方の電極に接続され、他方が前記電源供給線に接続され、
前記第３の薄膜トランジスタは、ゲート電極が前記第２のゲート信号線に接続され、ソース領域及びドレイン領域の他方が前記電源供給線に接続され、
前記コンデンサは、他方の電極が前記電源供給線に接続されているアクティブマトリクス型の発光装置であって、
定電流源と、一対の電極を有するモニター用発光素子と、入力された電位と等しい電位を出力する回路と、加算回路と、を有し、
前記定電流源と、前記モニター用発光素子の一方の電極と、前記回路の入力とが互いに接続され、
前記モニター用発光素子には、前記定電流源から一定電流が流れ、
前記回路に入力される電位は、前記モニター用発光素子の前記一方の電極の電位に応じて決まり、
前記回路の出力に、前記加算回路の入力が接続され、
前記加算回路の出力に、電源供給線が接続されることを特徴とするアクティブマトリクス型の発光装置。
【請求項２５】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、を有するアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記薄膜トランジスタを介して前記発光素子の一方の電極が接続されていることを特徴とするアクティブマトリクス型の発光装置。
【請求項２６】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、を有し、
前記ソース信号線及び前記ゲート信号線に入力される信号によって、前記薄膜トランジスタのオンとオフの制御を行うアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記薄膜トランジスタを介して前記発光素子の一方の電極が接続されていることを特徴とするアクティブマトリクス型の発光装置。
【請求項２７】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、前記ソース信号線駆動回路からの信号が入力されるソース信号線と、前記ゲート信号線駆動回路からの信号が入力されるゲート信号線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極に接続され、
前記第２の薄膜トランジスタは、ソース領域及びドレイン領域の一方が前記発光素子の一方の電極に接続されているアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記第２の薄膜トランジスタのソース領域及びドレイン領域の他方が接続されていることを特徴とするアクティブマトリクス型の発光装置。
【請求項２８】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、コンデンサと、前記ソース信号線駆動回路からの信号が入力されるソース信号線と、前記ゲート信号線駆動回路からの信号が入力されるゲート信号線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極及び前記コンデンサの一方の電極に接続され、
前記第２の薄膜トランジスタは、ソース領域及びドレイン領域の一方が前記発光素子の一方の電極に接続されているアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記第２の薄膜トランジスタのソース領域及びドレイン領域の他方と、前記コンデンサの他方の電極が接続されていることを特徴とするアクティブマトリクス型の発光装置。
【請求項２９】
複数の画素と、ソース信号線駆動回路と、第１のゲート信号線駆動回路と、第２のゲート信号線駆動回路と、を有し、
前記複数の画素は、それぞれ、一対の電極を有する発光素子と、第１の薄膜トランジスタと、第２の薄膜トランジスタと、第３の薄膜トランジスタと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極及び前記第３の薄膜トランジスタのソース領域及びドレイン領域の一方に接続され、
前記第２の薄膜トランジスタは、ソース領域及びドレイン領域の一方が前記発光素子の一方の電極に接続され、
前記第３の薄膜トランジスタは、ゲート電極が前記第２のゲート信号線に接続されているアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記第２の薄膜トランジスタのソース領域及びドレイン領域の他方と、前記第３の薄膜トランジスタのソース領域及びドレイン領域の他方が接続されていることを特徴とするアクティブマトリクス型の発光装置。
【請求項３０】
複数の画素と、ソース信号線駆動回路と、第１のゲート信号線駆動回路と、第２のゲート信号線駆動回路と、を有し、
前記複数の画素は、それぞれ、一対の電極を有する発光素子と、第１の薄膜トランジスタと、第２の薄膜トランジスタと、第３の薄膜トランジスタと、コンデンサと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極、前記コンデンサの一方の電極、及び前記第３の薄膜トランジスタのソース領域及びドレイン領域の一方に接続され、
前記第２の薄膜トランジスタは、ソース領域とドレイン領域の一方が前記発光素子の一方の電極に接続され、
前記第３の薄膜トランジスタは、ゲート電極が前記第２のゲート信号線に接続されているアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記第２の薄膜トランジスタのソース領域及びドレイン領域の他方と、前記第３の薄膜トランジスタのソース領域及びドレイン領域の他方と、前記コンデンサの他方の電極が接続されていることを特徴とするアクティブマトリクス型の発光装置。
【請求項３１】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、を有するアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に、前記薄膜トランジスタを介して前記発光素子の一方の電極が接続されていることを特徴とするアクティブマトリクス型の発光装置。
【請求項３２】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、を有し、
前記ソース信号線及び前記ゲート信号線に入力される信号によって、前記薄膜トランジスタのオンとオフの制御を行うアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に、前記薄膜トランジスタを介して前記発光素子の一方の電極が接続されていることを特徴とするアクティブマトリクス型の発光装置。
【請求項３３】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、前記ソース信号線駆動回路からの信号が入力されるソース信号線と、前記ゲート信号線駆動回路からの信号が入力されるゲート信号線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極に接続され、
前記第２の薄膜トランジスタは、ソース領域及びドレイン領域の一方が前記発光素子の一方の電極に接続されているアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に、前記第２の薄膜トランジスタのソース領域及びドレイン領域の他方が接続されていることを特徴とするアクティブマトリクス型の発光装置。
【請求項３４】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、コンデンサと、前記ソース信号線駆動回路からの信号が入力されるソース信号線と、前記ゲート信号線駆動回路からの信号が入力されるゲート信号線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極及び前記コンデンサの一方の電極に接続され、
前記第２の薄膜トランジスタは、ソース領域及びドレイン領域の一方が前記発光素子の一方の電極に接続されているアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に、前記第２の薄膜トランジスタのソース領域及びドレイン領域の他方と、前記コンデンサの他方の電極が接続されていることを特徴とするアクティブマトリクス型の発光装置。
【請求項３５】
複数の画素と、ソース信号線駆動回路と、第１のゲート信号線駆動回路と、第２のゲート信号線駆動回路と、を有し、
前記複数の画素は、それぞれ、一対の電極を有する発光素子と、第１の薄膜トランジスタと、第２の薄膜トランジスタと、第３の薄膜トランジスタと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極及び前記第３の薄膜トランジスタのソース領域及びドレイン領域の一方に接続され、
前記第２の薄膜トランジスタは、ソース領域及びドレイン領域の一方が前記発光素子の一方の電極に接続され、
前記第３の薄膜トランジスタは、ゲート電極が前記第２のゲート信号線に接続されているアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に、前記第２の薄膜トランジスタのソース領域及びドレイン領域の他方と、前記第３の薄膜トランジスタのソース領域及びドレイン領域の他方が接続されていることを特徴とするアクティブマトリクス型の発光装置。
【請求項３６】
複数の画素と、ソース信号線駆動回路と、第１のゲート信号線駆動回路と、第２のゲート信号線駆動回路と、を有し、
前記複数の画素は、それぞれ、一対の電極を有する発光素子と、第１の薄膜トランジスタと、第２の薄膜トランジスタと、第３の薄膜トランジスタと、コンデンサと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極、前記コンデンサの一方の電極、及び前記第３の薄膜トランジスタのソース領域及びドレイン領域の一方に接続され、
前記第２の薄膜トランジスタは、ソース領域とドレイン領域の一方が前記発光素子の一方の電極に接続され、
前記第３の薄膜トランジスタは、ゲート電極が前記第２のゲート信号線に接続されているアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に、前記第２の薄膜トランジスタのソース領域及びドレイン領域の他方と、前記第３の薄膜トランジスタのソース領域及びドレイン領域の他方と、前記コンデンサの他方の電極が接続されていることを特徴とするアクティブマトリクス型の発光装置。
【請求項３７】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、電源供給線と、を有し、
前記電源供給線は、前記薄膜トランジスタを介して前記発光素子の一方の電極に接続されているアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記電源供給線が接続されていることを特徴とするアクティブマトリクス型の発光装置。
【請求項３８】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、電源供給線と、を有し、
前記電源供給線は、前記薄膜トランジスタを介して前記発光素子の一方の電極に接続され、
前記ソース信号線及び前記ゲート信号線に入力される信号によって、前記薄膜トランジスタのオンとオフの制御を行うアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記電源供給線が接続されていることを特徴とするアクティブマトリクス型の発光装置。
【請求項３９】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、前記ソース信号線駆動回路からの信号が入力されるソース信号線と、前記ゲート信号線駆動回路からの信号が入力されるゲート信号線と、電源供給線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極に接続され、
前記第２の薄膜トランジスタは、ソース領域及びドレイン領域の一方が前記発光素子の一方の電極に接続され、他方が前記電源供給線に接続されているアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記電源供給線が接続されていることを特徴とするアクティブマトリクス型の発光装置。
【請求項４０】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、コンデンサと、前記ソース信号線駆動回路からの信号が入力されるソース信号線と、前記ゲート信号線駆動回路からの信号が入力されるゲート信号線と、電源供給線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極及び前記コンデンサの一方の電極に接続され、
前記第２の薄膜トランジスタは、ソース領域及びドレイン領域の一方が前記発光素子の一方の電極に接続され、他方が前記電源供給線に接続され、
前記コンデンサは、他方の電極が前記電源供給線に接続されているアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記電源供給線が接続されていることを特徴とするアクティブマトリクス型の発光装置。
【請求項４１】
複数の画素と、ソース信号線駆動回路と、第１のゲート信号線駆動回路と、第２のゲート信号線駆動回路と、を有し、
前記複数の画素は、それぞれ、一対の電極を有する発光素子と、第１の薄膜トランジスタと、第２の薄膜トランジスタと、第３の薄膜トランジスタと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、電源供給線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極及び前記第３の薄膜トランジスタのソース領域及びドレイン領域の一方に接続され、
前記第２の薄膜トランジスタは、ソース領域及びドレイン領域の一方が前記発光素子の一方の電極に接続され、他方が前記電源供給線に接続され、
前記第３の薄膜トランジスタは、ゲート電極が前記第２のゲート信号線に接続され、ソース領域及びドレイン領域の他方が前記電源供給線に接続されているアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記電源供給線が接続されていることを特徴とするアクティブマトリクス型の発光装置。
【請求項４２】
複数の画素と、ソース信号線駆動回路と、第１のゲート信号線駆動回路と、第２のゲート信号線駆動回路と、を有し、
前記複数の画素は、それぞれ、一対の電極を有する発光素子と、第１の薄膜トランジスタと、第２の薄膜トランジスタと、第３の薄膜トランジスタと、コンデンサと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、電源供給線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極、前記コンデンサの一方の電極、及び前記第３の薄膜トランジスタのソース領域及びドレイン領域の一方に接続され、
前記第２の薄膜トランジスタは、ソース領域とドレイン領域の一方が前記発光素子の一方の電極に接続され、他方が前記電源供給線に接続され、
前記第３の薄膜トランジスタは、ゲート電極が前記第２のゲート信号線に接続され、ソース領域及びドレイン領域の他方が前記電源供給線に接続され、
前記コンデンサは、他方の電極が前記電源供給線に接続されているアクティブマトリクス型の発光装置であって、
定電流源と、一対の電極を有するモニター用発光素子と、バッファアンプとを有し、
前記定電流源と、前記モニター用発光素子の一方の電極と、前記バッファアンプの入力とが互いに接続され、
前記バッファアンプの出力に、前記電源供給線が接続されていることを特徴とするアクティブマトリクス型の発光装置。
【請求項４３】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、電源供給線と、を有し、
前記電源供給線は、前記薄膜トランジスタを介して前記発光素子の一方の電極に接続されているアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に、前記電源供給線が接続されていることを特徴とするアクティブマトリクス型の発光装置。
【請求項４４】
複数の画素と、ソース信号線駆動回路と、ゲート信号線駆動回路と、を有し、
前記複数の画素は、それぞれ、一対の電極を有する発光素子と、薄膜トランジスタと、前記ソース信号線駆動回路からの信号が入力されるソース信号線と、前記ゲート信号線駆動回路からの信号が入力されるゲート信号線と、電源供給線と、を有し、
前記電源供給線は、前記薄膜トランジスタを介して前記発光素子の一方の電極に接続され、
前記ソース信号線及び前記ゲート信号線に入力される信号によって、前記薄膜トランジスタのオンとオフの制御を行うアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に、前記電源供給線が接続されていることを特徴とするアクティブマトリクス型の発光装置。
【請求項４５】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、前記ソース信号線駆動回路からの信号が入力されるソース信号線と、前記ゲート信号線駆動回路からの信号が入力されるゲート信号線と、電源供給線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極に接続され、
前記第２の薄膜トランジスタは、ソース領域及びドレイン領域の一方が前記発光素子の一方の電極に接続され、他方が前記電源供給線に接続されているアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に前記電源供給線が接続されていることを特徴とするアクティブマトリクス型の発光装置。
【請求項４６】
複数の画素と、ソース信号線駆動回路と、ゲート信号線駆動回路と、を有し、
前記複数の画素は、それぞれ、一対の電極を有する発光素子と、第１の薄膜トランジスタ及び第２の薄膜トランジスタと、コンデンサと、前記ソース信号線駆動回路からの信号が入力されるソース信号線と、前記ゲート信号線駆動回路からの信号が入力されるゲート信号線と、電源供給線と、を有し、
前記第１の薄膜トランジスタは、ゲート電極が前記ゲート信号線に接続され、ソース領域及びドレイン領域の一方が前記ソース信号線に接続され、他方が前記第２の薄膜トランジスタのゲート電極及び前記コンデンサの一方の電極に接続され、
前記第２の薄膜トランジスタは、ソース領域及びドレイン領域の一方が前記発光素子の一方の電極に接続され、他方が前記電源供給線に接続され、
前記コンデンサは、他方の電極が前記電源供給線に接続されているアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に前記電源供給線が接続されていることを特徴とするアクティブマトリクス型の発光装置。
【請求項４７】
複数の画素と、ソース信号線駆動回路と、第１のゲート信号線駆動回路と、第２のゲート信号線駆動回路と、を有し、
前記複数の画素は、それぞれ、一対の電極を有する発光素子と、第１の薄膜トランジスタと、第２の薄膜トランジスタと、第３の薄膜トランジスタと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、電源供給線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極及び前記第３の薄膜トランジスタのソース領域及びドレイン領域の一方に接続され、
前記第２の薄膜トランジスタは、ソース領域及びドレイン領域の一方が前記発光素子の一方の電極に接続され、他方が前記電源供給線に接続され、
前記第３の薄膜トランジスタは、ゲート電極が前記第２のゲート信号線に接続され、ソース領域及びドレイン領域の他方が前記電源供給線に接続されているアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に前記電源供給線が接続されていることを特徴とするアクティブマトリクス型の発光装置。
【請求項４８】
複数の画素と、ソース信号線駆動回路と、第１のゲート信号線駆動回路と、第２のゲート信号線駆動回路と、を有し、
前記複数の画素は、それぞれ、一対の電極を有する発光素子と、第１の薄膜トランジスタと、第２の薄膜トランジスタと、第３の薄膜トランジスタと、コンデンサと、前記ソース信号線駆動回路からの信号が入力されるソース信号線と、前記第１のゲート信号線駆動回路からの信号が入力される第１のゲート信号線と、前記第２のゲート信号線駆動回路からの信号が入力される第２のゲート信号線と、電源供給線と、を有し、
前記第１の薄膜トランジスタは、ゲート電極が前記第１のゲート信号線に接続され、ソース領域及びドレイン領域の一方が前記ソース信号線に接続され、他方が前記第２の薄膜トランジスタのゲート電極、前記コンデンサの一方の電極、及び前記第３の薄膜トランジスタのソース領域及びドレイン領域の一方に接続され、
前記第２の薄膜トランジスタは、ソース領域とドレイン領域の一方が前記発光素子の一方の電極に接続され、他方が前記電源供給線に接続され、
前記第３の薄膜トランジスタは、ゲート電極が前記第２のゲート信号線に接続され、ソース領域及びドレイン領域の他方が前記電源供給線に接続され、
前記コンデンサは、他方の電極が前記電源供給線に接続されているアクティブマトリクス型の発光装置であって、
定電流源と、一対の電極を有するモニター用発光素子と、バッファアンプと、加算回路と、を有し、
前記定電流源と、前記モニター用発光素子の一方の電極と、前記バッファアンプの入力とが互いに接続され、
前記バッファアンプの出力に、前記加算回路の入力が接続され、
前記加算回路の出力に前記電源供給線が接続されていることを特徴とするアクティブマトリクス型の発光装置。
【請求項４９】
請求項７乃至１２、１９乃至２４、３１乃至３６、及び４３乃至４８のいずれか一において、前記加算回路の入力端子と出力端子は、常に一定の電位差を有していることを特徴とする発光装置。
【請求項５０】
請求項１乃至２４のいずれか一において、前記回路は、ＩＣチップに形成されていることを特徴とする発光装置。
【請求項５１】
請求項１乃至２４のいずれか一において、前記回路は、前記複数の画素が形成された基板と同じ基板上に形成されていることを特徴とする発光装置。
【請求項５２】
請求項２５乃至４８のいずれか一において、前記バッファアンプは、ＩＣチップに形成されていることを特徴とする発光装置。
【請求項５３】
請求項２５乃至４８のいずれか一において、前記バッファアンプは、前記複数の画素が形成された基板と同じ基板上に形成されていることを特徴とする発光装置。
【請求項５４】
請求項１乃至５３のいずれか一において、前記定電流源は、ＩＣチップに形成されていることを特徴とする発光装置。
【請求項５５】
請求項１乃至５３のいずれか一において、前記定電流源は、前記複数の画素が形成された基板と同じ基板上に形成されていることを特徴とする発光装置。
【請求項５６】
請求項１乃至５５のいずれか一において、前記モニター用ＥＬ素子は、前記複数の画素が形成された基板と同じ基板上に形成されていることを特徴とする発光装置。
【請求項５７】
請求項５６において、前記モニター用ＥＬ素子は、前記複数の画素が設けられた領域と異なる箇所に設けられていることを特徴とする発光装置。
【請求項５８】
請求項５６において、前記モニター用ＥＬ素子は、前記複数の画素が設けられた領域と同じ箇所に設けられていることを特徴とする発光装置。
【手続補正３】
【補正対象書類名】明細書
【補正対象項目名】００３０
【補正方法】変更
【補正の内容】
【００３０】
前記切り替え回路はインバーターと、第１のアナログスイッチと、第２のアナログスイッチとを有しており、
前記切り替え回路に入力されたデジタルビデオ信号は、前記インバーターを介して前記第１のアナログスイッチの入力端子に入力し、
また前記１つまたは複数のラッチから出力されたデジタルビデオ信号は、前記第２のアナログスイッチの入力端子に入力し、
切り替え信号が前記第１のアナログスイッチの第１の制御入力端子及び前記第２のアナログスイッチの第２の制御入力端子から入力し、
前記切り替え信号の極性が反転した信号が前記第１のアナログスイッチの第２の制御入力端子及び前記第２のアナログスイッチの第１の制御入力端子から入力し、
前記第１のアナログスイッチ及び前記第２のアナログスイッチの出力端子から出力される信号が、前記切り替え回路から出力されることを特徴としていても良い。